(57)【要約】【課題】伝送遅延が大きい伝達網を介して接続されたクライアント装置間のリンクアップを可能にすること。【解決手段】ＯＴＮ伝送装置１００は、ＯＴＮに設けられクライアント装置１０１が接続された伝送装置である。ＯＴＮ伝送装置１００は、クライアント装置１０１との間でオートネゴシエーション処理を行う。また、ＯＴＮ伝送装置１００は、オートネゴシエーション処理の後に、クライアント装置１０１から受信したデータをＯＴＮを介して他のクライアント装置に中継する。【選択図】図１
2018026756.tif 000002
【特許請求の範囲】
【請求項１】
第１クライアント装置と通信する伝送装置であって、
前記第１クライアント装置から認証処理に関する制御信号とデータを受信する受信部と、
前記制御信号に基づいて、前記第１クライアント装置と通信を確立する認証処理部と、
前記通信を確立した後に、前記第１クライアント装置から受信したデータを第２クライアント装置に中継する中継部と、
を備えることを特徴とする伝送装置。
【請求項２】
前記認証処理部は、前記第２クライアント装置と通信する他の伝送装置と前記第２クライアント装置との通信を確立する処理において前記第２クライアント装置から送信され前記他の伝送装置から自装置へ転送された制御信号に基づいて前記第１クライアント装置と通信を確立する処理を完了することを特徴とする請求項１に記載の伝送装置。
【請求項３】
前記第１クライアント装置は、前記認証処理部による前記第１クライアント装置と通信を確立する処理が完了すると前記第２クライアント装置へのデータを自装置へ送信し、
前記中継部は、前記第１クライアント装置と通信を確立する処理が完了した後、前記第２クライアント装置から送信され他の伝送装置から自装置へ転送された制御信号に含まれるアイドル信号の検出結果に基づいて、前記第１クライアント装置から受信したデータを前記第２クライアント装置に中継する状態へ移行する、
ことを特徴とする請求項２に記載の伝送装置。
【請求項４】
前記中継部は、前記第１クライアント装置から受信したデータをＧＦＰ−Ｔにより前記第２クライアント装置に中継することを特徴とする請求項１〜３のいずれか一つに記載の伝送装置。
【請求項５】
第１クライアント装置と、
前記第１クライアント装置との間でデータの送受信を行う第２クライアント装置と、
前記第１クライアント装置と通信を行う第１伝送装置であって、前記第１クライアント装置から認証処理に関する制御信号とデータを受信し、前記第１クライアント装置から受信した前記制御信号に基づいて前記第１クライアント装置と通信を確立し、前記第１クライアント装置と通信を確立した後に、前記第１クライアント装置から受信したデータを前記第２クライアント装置に中継する第１伝送装置と、
前記第２クライアント装置と通信を行う第２伝送装置であって、前記第２クライアント装置から認証処理に関する制御信号とデータを受信し、前記第２クライアント装置から受信した前記制御信号に基づいて前記第２クライアント装置と通信を確立し、前記第２クライアント装置と通信を確立した後に、前記第２クライアント装置から受信したデータを前記第１クライアント装置に中継する第２伝送装置と、
を含むことを特徴とする伝送システム。
【請求項６】
第１クライアント装置と通信する伝送装置による伝送方法であって、
前記第１クライアント装置から認証処理に関する制御信号とデータを受信し、
前記制御信号に基づいて、前記第１クライアント装置と通信を確立し、
前記通信を確立した後に、前記第１クライアント装置から受信したデータを第２クライアント装置に中継する、
ことを特徴とする伝送方法。
【発明の詳細な説明】
【技術分野】
【０００１】
本発明は、伝送装置、伝送システムおよび伝送方法に関する。
【背景技術】
【０００２】
従来、クライアント装置間の信号を光コアネットワークで転送するＯＴＮ（Ｏｐｔｉｃａｌ  Ｔｒａｎｓｐｏｒｔ  Ｎｅｔｗｏｒｋ：光伝達網）が知られている。たとえば、イーサネット（登録商標）のフレームをＯＴＮのフレームにマッピングする方式としてＧＦＰ（Ｇｅｎｅｒｉｃ  Ｆｒａｍｉｎｇ  Ｐｒｏｃｅｄｕｒｅ）方式が知られている。
【０００３】
ＧＦＰ方式は、たとえばＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ：国際電信電話諮問委員会）において標準化されている。ＧＦＰ方式には、たとえばＧＦＰ−Ｆ（Ｆｒａｍｅ−ｍａｐｐｅｄ  ＧＦＰ）方式（たとえば特許文献１参照。）とＧＦＰ−Ｔ（Ｔｒａｎｓｐａｒｅｎｔ  ＧＦＰ）方式がある。
【０００４】
また、たとえばＩＥＥＥ８０２．３において、クライアント装置間でリンクアップを行うための手順としてオートネゴシエーション（ＡＮ：Ａｕｔｏ  Ｎｅｇｏｔｉａｔｉｏｎ）が規定されている。ＩＥＥＥはｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（電気電子学会）の略である。オートネゴシエーションにおいては、たとえば各クライアント装置が互いにコンフィギュレーションコードを送受信することにより互いの状態を確認しリンクアップを行う。
【先行技術文献】
【特許文献】
【０００５】
【特許文献１】特開２００６−２５４１２８号公報
【発明の概要】
【発明が解決しようとする課題】
【０００６】
しかしながら、従来のオートネゴシエーションによるリンクアップでは、伝送遅延が大きい伝送網を介して接続されたクライアント装置間のリンクアップを行うことが困難という問題がある。
【０００７】
たとえば、上述したＧＦＰ−Ｔ方式においては、ＯＴＮにおける伝送遅延が大きいと、ＯＴＮを介したクライアント装置間のコンフィギュレーションコードの伝送遅延が大きくなる。このため、オートネゴシエーションにおけるタイムアウトによりリンクアップができない場合がある。
【０００８】
また、上述したＧＦＰ−Ｆ方式においては、たとえばクライアント装置間で送受信するコンフィギュレーションコードがＯＴＮの伝送装置において非透過になり、クライアント装置間でオートネゴシエーションを行うことができない場合がある。
【０００９】
１つの側面では、本発明は、伝送遅延が大きい伝送網を介して接続されたクライアント装置間のリンクアップを可能にすることができる伝送装置、伝送システムおよび伝送方法を提供することを目的とする。
【課題を解決するための手段】
【００１０】
上述した課題を解決し、目的を達成するため、本発明の一側面によれば、第１クライアント装置と通信する伝送装置が、前記第１クライアント装置から認証処理に関する制御信号とデータを受信し、前記制御信号に基づいて、前記第１クライアント装置と通信を確立し、前記通信を確立した後に、前記第１クライアント装置から受信したデータを第２クライアント装置に中継する伝送装置、伝送システムおよび伝送方法が提案される。
【発明の効果】
【００１１】
本発明の一側面によれば、伝送遅延が大きい伝送網を介して接続されたクライアント装置間のリンクアップを可能にすることができるという効果を奏する。
【図面の簡単な説明】
【００１２】
【図１】図１は、実施の形態にかかるＯＴＮ伝送装置の一例を示す図である。
【図２】図２は、実施の形態にかかるＯＴＮ伝送装置におけるトランスペアレントモードの伝送路の一例を示す図である。
【図３】図３は、実施の形態にかかるＯＴＮ伝送装置におけるＡＮモードの伝送路の一例を示す図である。
【図４】図４は、実施の形態にかかる伝送システムの一例を示す図である。
【図５】図５は、実施の形態にかかる伝送システムにおけるプロトコルスタックの一例を示す図である。
【図６】図６は、実施の形態にかかるクライアント装置による処理の一例を示すフローチャートである。
【図７】図７は、実施の形態にかかるＯＴＮ伝送装置による処理の一例を示すフローチャートである。
【図８】図８は、実施の形態にかかるモード切替制御部による処理を示す状態遷移図である。
【図９】図９は、実施の形態にかかるＡＮ部による処理を示す状態遷移図である。
【図１０】図１０は、実施の形態にかかる伝送システムにおける処理の一例を示すシーケンス図である。
【図１１】図１１は、実施の形態にかかる伝送システムを適用したネットワークの一例を示す図である。
【図１２】図１２は、実施の形態にかかるＯＴＮ伝送装置のハードウェア構成の一例を示す図である。
【発明を実施するための形態】
【００１３】
以下に図面を参照して、本発明にかかる伝送装置、伝送システムおよび伝送方法の実施の形態を詳細に説明する。
【００１４】
（実施の形態）
（実施の形態にかかるＯＴＮ伝送装置）
図１は、実施の形態にかかるＯＴＮ伝送装置の一例を示す図である。図１に示すＯＴＮ伝送装置１００は、自装置に接続されたクライアント装置１０１が他のクライアント装置との間で送受信する信号をＯＴＮにより中継する伝送装置である。ＯＴＮ伝送装置１００とクライアント装置１０１との間は、一例としては１０００ＢＡＳＥ−Ｘ等のイーサネットにより接続されている。
【００１５】
この場合に、ＯＴＮ伝送装置１００は、クライアント装置１０１からの１０００ＢＡＳＥ−Ｘ信号をＯＴＮのフレームにマッピングしてＯＴＮ伝送路へ送出する。この場合に、ＯＴＮ伝送装置１００は、たとえばＴＴＴ（Ｔｉｍｉｎｇ  Ｔｒａｎｓｐａｒｅｎｔ  Ｔｒａｎｓｃｏｄｉｎｇ）と呼ばれる方式で信号をＧＦＰ−Ｔフレームへマッピングする。
【００１６】
そして、ＯＴＮ伝送装置１００は、信号をマッピングしたＧＦＰ−ＴフレームをＯＰＵ０フレームにＧＭＰ（Ｇｅｎｅｒｉｃ  Ｍａｐｐｉｎｇ  Ｐｒｏｃｅｄｕｒｅ）方式でマッピングする。ＯＰＵはＯｐｔｉｃａｌ  ｃｈａｎｎｅｌ  Ｐａｙｌｏａｄ  Ｕｎｉｔの略である。これらのＧＦＰ−Ｔ方式についてはたとえばＩＴＵ−Ｔ  Ｇ．７０９／Ｙ．１３３１やＩＴＵ−Ｔ  Ｇ．７０４１／Ｙ．１３０３において規定されている。ただし、ＯＴＮ伝送装置１００のクライアント装置１０１の側のインタフェースは、イーサネットに限らず各種のインタフェースとすることができる。
【００１７】
クライアント装置１０１は、一例としてはＬＡＮにおけるスイッチなどの通信装置である。ＬＡＮはＬｏｃａｌ  Ａｒｅａ  Ｎｅｔｗｏｒｋ（構内通信網）の略である。ただし、クライアント装置１０１は、スイッチに限らず、サーバ装置や端末装置（末端装置）などの各種の通信装置とすることができる。
【００１８】
図１に示すように、ＯＴＮ伝送装置１００は、たとえば、ＰＭＤ部１１１と、ＰＭＡ部１１２と、８Ｂ１０Ｂ部１１３と、ＧＦＰ−Ｔ部１１４と、ＯＴＮ部１１５と、を備える。また、ＯＴＮ伝送装置１００は、たとえば、ＯＴＮ部１２１と、ＧＦＰ−Ｔ部１２２と、モード切替制御部１２３と、８Ｂ１０Ｂ部１２４と、ＰＭＡ部１２５と、ＰＭＤ部１２６と、ＡＮ部１３０と、を備える。
【００１９】
ＰＭＤ部１１１には、ＯＴＮ伝送装置１００に接続されたクライアント装置１０１から送信された信号が入力（Ｒｘ）される。ＰＭＤ部１１１は、入力された信号に対するＰＭＤ（Ｐｈｙｓｉｃａｌ  Ｍｅｄｉｕｍ  Ｄｅｐｅｎｄｅｎｔ）の受信処理を行い、ＰＭＤの受信処理を行った信号をＰＭＡ部１１２へ出力する。
【００２０】
ＰＭＡ部１１２は、ＰＭＤ部１１１から出力された信号に対するＰＭＡ（Ｐｈｙｓｉｃａｌ  Ｍｅｄｉｕｍ  Ａｔｔａｃｈｍｅｎｔ）の受信処理を行い、ＰＭＡの受信処理を行った信号を８Ｂ１０Ｂ部１１３へ出力する。
【００２１】
８Ｂ１０Ｂ部１１３は、ＰＭＡ部１１２から出力された信号に対する８Ｂ１０Ｂの受信処理を行う。たとえば、８Ｂ１０Ｂ部１１３は、ＰＭＡ部１１２から出力された信号を１０ビットのデータから８ビットのデータに変換する。そして、８Ｂ１０Ｂ部１１３は、８Ｂ１０Ｂの受信処理を行った信号をＧＦＰ−Ｔ部１１４およびＡＮ部１３０へ出力する。８Ｂ１０Ｂ部１１３からＧＦＰ−Ｔ部１１４およびＡＮ部１３０へ出力される信号をデータ（ＲＸ＿Ｄａｔａ）と称する。
【００２２】
ＧＦＰ−Ｔ部１１４は、８Ｂ１０Ｂ部１１３から出力された信号に対するＧＦＰ−Ｔの送信処理を行い、ＧＦＰ−Ｔの送信処理を行った信号をＯＴＮ部１１５へ出力する。ＧＦＰ−ＴはＴｒａｎｓｐａｒｅｎｔ  ＧＦＰの略である。ＧＦＰはＧｅｎｅｒｉｃ  Ｆｒａｍｉｎｇ  Ｐｒｏｃｅｄｕｒｅの略である。
【００２３】
ＯＴＮ部１１５は、ＧＦＰ−Ｔ部１１４から出力された信号に対するＯＴＮの送信処理を行い、ＯＴＮの送信処理により得られた光信号を、ＯＴＮにおける他のＯＴＮ伝送装置へ送信する。これにより、クライアント装置１０１から送信された信号が、ＯＴＮを介して、クライアント装置１０１と対向するクライアント装置へ送信される。
【００２４】
ＯＴＮ部１２１は、ＯＴＮにおける他のＯＴＮ伝送装置から送信された光信号に対するＯＴＮの受信処理を行い、ＯＴＮの受信処理により得られた信号（電気信号）をＧＦＰ−Ｔ部１２２へ出力する。
【００２５】
ＧＦＰ−Ｔ部１２２は、ＯＴＮ部１２１から出力された信号に対するＧＦＰ−Ｔの受信処理を行い、ＧＦＰ−Ｔの受信処理を行った信号をモード切替制御部１２３およびＡＮ部１３０へ出力する。ＧＦＰ−Ｔ部１２２からモード切替制御部１２３およびＡＮ部１３０へ出力される信号をデータ（ＴＸ＿Ｄａｔａ１）と称する。
【００２６】
モード切替制御部１２３は、トランスペアレントモードとＡＮモードとの切り替え制御を行う。トランスペアレントモードにおいて、モード切替制御部１２３は、ＧＦＰ−Ｔ部１２２から出力された信号を８Ｂ１０Ｂ部１２４へ出力する。また、ＡＮモードにおいて、モード切替制御部１２３は、ＡＮ部１３０から出力されたデータ（ＡＮ＿Ｄａｔａ）を８Ｂ１０Ｂ部１２４へ出力する。モード切替制御部１２３から８Ｂ１０Ｂ部１２４へ出力される信号をデータ（ＴＸ＿Ｄａｔａ２）と称する。
【００２７】
８Ｂ１０Ｂ部１２４は、モード切替制御部１２３から出力された信号に対する８Ｂ１０Ｂの送信処理を行う。たとえば、８Ｂ１０Ｂ部１２４は、モード切替制御部１２３から出力された信号を８ビットのデータから１０ビットのデータに変換する。そして、８Ｂ１０Ｂ部１２４は、８Ｂ１０Ｂの送信処理を行った信号をＰＭＡ部１２５へ出力する。
【００２８】
ＰＭＡ部１２５は、８Ｂ１０Ｂ部１２４から出力された信号に対するＰＭＡの送信処理を行い、ＰＭＡの送信処理を行った信号をＰＭＤ部１２６へ出力する。ＰＭＤ部１２６は、ＰＭＡ部１２５から出力された信号に対するＰＭＡの送信処理を行い、ＰＭＡの送信処理を行った信号をクライアント装置１０１へ送信（Ｔｘ）する。
【００２９】
ＡＮ部１３０は、８Ｂ１０Ｂ部１１３からのデータ（ＲＸ＿Ｄａｔａ）およびＧＦＰ−Ｔ部１２２からのデータ（ＴＸ＿Ｄａｔａ１）に基づいて、モード切替制御部１２３へデータ（ＡＮ＿Ｄａｔａ）および制御信号（ＡＮ＿Ｅｎａｂｌｅ）を出力する。制御信号（ＡＮ＿Ｅｎａｂｌｅ）は、モード切替制御部１２３に対してトランスペアレントモードとＡＮモードとの切り替えを指示する信号である。データ（ＡＮ＿Ｄａｔａ）は、ＡＮモードにおいてモード切替制御部１２３が８Ｂ１０Ｂ部１２４へ出力する信号である。
【００３０】
すなわち、ＡＮモードにおいては、データ（ＡＮ＿Ｄａｔａ）がＯＴＮ伝送装置１００からクライアント装置１０１へ送信される。また、トランスペアレントモードにおいては、データ（ＴＸ＿Ｄａｔａ１）がＯＴＮ伝送装置１００からクライアント装置１０１へ送信される。また、ＡＮ部１３０は、マネジメントインタフェースによりモード切替制御部１２３へ出力するデータ（ＡＮ＿Ｄａｔａ）の値が設定可能であってもよい。
【００３１】
ＧＦＰ−Ｔ方式において各クライアント装置はトランスペアレントなＯＴＮを介して互いにＡＮを行うが、実施の形態にかかるクライアント装置１０１はＯＴＮ伝送装置１００との間でＡＮを行うことにより対向するクライアント装置との間でリンクアップする。ただし、クライアント装置１０１が行うＡＮの処理は、たとえばＧＦＰ−Ｔ方式におけるクライアント装置のＡＮの処理と同様である。
【００３２】
ＡＮは、たとえばイーサネットのクライアント装置間で通信モードを自動選択するための処理である。たとえば、各クライアント装置は、８Ｂ１０Ｂ符号のオーダセットを使用して、全二重／半二重およびフロー制御の使用有無について情報交換を行い、通信モードを自動選択してリンクアップする。
【００３３】
ただし、全二重／半二重やフロー制御が既知である場合は、ＡＮにおけるこれらの情報交換を行わなくてもよい。この場合は、各クライアント装置は、ＡＮによって互いが通信可能な状態であることを確認し、互いが通信可能な状態であることを確認できた場合にリンクアップする。
【００３４】
クライアント装置１０１から認証処理に関する制御信号とデータを受信する受信部は、たとえばＰＭＤ部１１１、ＰＭＡ部１１２およびＢ部１１３により実現することができる。クライアント装置１０１と通信を確立する認証処理（ＡＮ処理）を行う認証処理部は、たとえばＡＮ部１３０およびモード切替制御部１２３により実現できる。クライアント装置１０１から受信したデータを中継する中継部は、たとえばＰＭＤ部１１１、ＰＭＡ部１１２、８Ｂ１０Ｂ部１１３、ＧＦＰ−Ｔ部１１４、ＯＴＮ部１１５およびモード切替制御部１２３により実現できる。
【００３５】
（実施の形態にかかるＯＴＮ伝送装置におけるトランスペアレントモードの伝送路）
図２は、実施の形態にかかるＯＴＮ伝送装置におけるトランスペアレントモードの伝送路の一例を示す図である。図２において、図１に示した部分と同様の部分については同一の符号を付して説明を省略する。また、ＯＴＮ伝送装置１００においてクライアント装置１０１から信号を受信する方向をＩｎｇｒｅｓｓ方向と称し、ＯＴＮ伝送装置１００においてクライアント装置１０１へ信号を送信する方向をＥｇｒｅｓｓ方向と称する。
【００３６】
ＯＴＮ伝送装置１００は、クライアント装置１０１が他のクライアント装置との間でＯＴＮを介した主信号伝送を行う際にはトランスペアレントモードになる。トランスペアレントモードにおいて、ＯＴＮ伝送装置１００は、ＧＦＰ−Ｔ方式と同様に、クライアント装置１０１から受信したＩｎｇｒｅｓｓ方向の信号２０１をトランスペアレントにＯＴＮの他のＯＴＮ伝送装置へ送信する。信号２０１には、たとえばプリアンブル、ＳＦＤ（Ｓｔａｒｔ  Ｆｒａｍｅ  Ｄｅｌｉｍｉｔｅｒ）、アイドルなどクライアント装置１０１から受信したすべての情報（ビット）が含まれる。
【００３７】
また、トランスペアレントモードにおいて、ＧＦＰ−Ｔ方式と同様に、ＯＴＮ伝送装置１００は、ＯＴＮの他のＯＴＮ伝送装置から受信したＥｇｒｅｓｓ方向の信号２０２をトランスペアレントにクライアント装置１０１へ送信する。信号２０２には、たとえばプリアンブル、ＳＦＤ、アイドルなどＯＴＮの他のＯＴＮ伝送装置から受信したすべての信号（ビット）が含まれる。
【００３８】
また、トランスペアレントモードにおいて、ＯＴＮ伝送装置１００がクライアント装置１０１へ送信する信号２０２のビットレートは、クライアント装置１０１と対向するクライアント装置が送信した信号と同じビットレートになる。
【００３９】
（実施の形態にかかるＯＴＮ伝送装置におけるＡＮモードの伝送路）
図３は、実施の形態にかかるＯＴＮ伝送装置におけるＡＮモードの伝送路の一例を示す図である。図３において、図２に示した部分と同様の部分については同一の符号を付して説明を省略する。ＯＴＮ伝送装置１００は、クライアント装置１０１がＡＮを行う際にはＡＮモードになる。ＡＮモードにおいて、ＯＴＮ伝送装置１００は、ＧＦＰ−Ｔ方式と同様に、クライアント装置１０１から受信したＩｎｇｒｅｓｓ方向の信号２０１をトランスペアレントにＯＴＮの他のＯＴＮ伝送装置へ送信する。
【００４０】
また、ＡＮモードにおいて、ＯＴＮ伝送装置１００は、ＡＮ部１３０によって出力された信号をＥｇｒｅｓｓ方向の信号２０３としてクライアント装置１０１へ送信することにより、クライアント装置１０１との間でＡＮを行う。ただし、クライアント装置１０１の側のＡＮの処理は、ＧＦＰ−Ｔ方式におけるＯＴＮのトランスペアレントな伝送を介したクライアント装置間のＡＮの処理と同様である。また、ＡＮモードにおいて、ＯＴＮ伝送装置１００がクライアント装置１０１へ送信する信号のビットレートは、ＯＴＮ伝送装置１００に設定されたビットレートとなる。
【００４１】
また、ＯＴＮ伝送装置１００は、クライアント装置１０１との間でＡＮが完了すると、トランスペアレントモードへ戻る。ただし、たとえばクライアント装置１０１と対応するクライアント装置からの信号（たとえばイーサネットＭＡＣフレーム）の受信途中にトランスペアレントモードへ戻ると、信号が破壊されてクライアント装置１０１においてエラーが検出される。このため、ＯＴＮ伝送装置１００は、ＡＮが完了した後、クライアント装置１０１と対応するクライアント装置からの信号がアイドルになるまで待ってからトランスペアレントモードへ戻る。なおＭＡＣはＭｅｄｉａ  Ａｃｃｅｓｓ  Ｃｏｎｔｒｏｌ（メディアアクセス制御）の略である。
【００４２】
また、ＯＴＮ伝送装置１００は、ＡＮが完了した後、クライアント装置１０１と対応するクライアント装置からの信号が／Ｉ１／ではなく／Ｉ２／になるまで待ってからトランスペアレントモードへ戻るようにしてもよい。これにより、８Ｂ１０Ｂにおけるランニングディスパリティを維持することができる。
【００４３】
（実施の形態にかかる伝送システム）
図４は、実施の形態にかかる伝送システムの一例を示す図である。図４に示すように、実施の形態にかかる伝送システム４００は、クライアント装置１０１Ａ，１０１Ｂと、ＯＴＮ伝送装置１００Ａ，１００Ｂと、ＯＴＮ伝送路４０１と、を備える。
【００４４】
クライアント装置１０１ＡおよびＯＴＮ伝送装置１００Ａは、それぞれ図１に示したクライアント装置１０１およびＯＴＮ伝送装置１００と同様の構成である。また、クライアント装置１０１ＢおよびＯＴＮ伝送装置１００Ｂは、それぞれ図１に示したクライアント装置１０１およびＯＴＮ伝送装置１００と同様の構成である。
【００４５】
ＯＴＮ伝送装置１００ＡおよびＯＴＮ伝送装置１００Ｂは、ＯＴＮ伝送路４０１を介して互いに接続されている。また、クライアント装置１０１ＡはＯＴＮ伝送装置１００Ａに接続されている。また、クライアント装置１０１ＢはＯＴＮ伝送装置１００Ｂに接続されている。そして、クライアント装置１０１Ａ，１０１Ｂは、ＯＴＮ伝送装置１００Ａ，１００ＢおよびＯＴＮ伝送路４０１を介して互いに対向し、互いに信号伝送を行う。
【００４６】
ＯＴＮ伝送装置１００Ａ，１００Ｂの構成は、それぞれ図１に示したＯＴＮ伝送装置１００の構成と同様である。ただし、ＯＴＮ伝送装置１００Ａの構成には、図１に示したＯＴＮ伝送装置１００の構成の符号の末尾にＡを加えた符号を付している。また、ＯＴＮ伝送装置１００Ｂの構成には、図１に示したＯＴＮ伝送装置１００の構成の符号の末尾にＢを加えた符号を付している。
【００４７】
まず、クライアント装置１０１Ａが再起動したとする。この場合に、ＯＴＮ伝送装置１００Ａは、クライアント装置１０１ＡからＯＴＮ伝送装置１００Ａへ／Ｃ／（ＡＮリスタート）を受信（Ｒｘ）する。／Ｃ／（ＡＮリスタート）は、ＡＮの開始を通知するコンフィギュレーションコードである。／Ｃ／（ＡＮリスタート）は、一例としてはすべてゼロの値を有する／Ｃ／である。
【００４８】
ＯＴＮ伝送装置１００Ａがクライアント装置１０１Ａから受信した／Ｃ／（ＡＮリスタート）は、データ（ＲＸ＿Ｄａｔａ）としてＧＦＰ−Ｔ部１１４ＡおよびＡＮ部１３０Ａへ入力される。ＧＦＰ−Ｔ部１１４Ａへ入力された／Ｃ／（ＡＮリスタート）は、ＯＴＮ伝送路４０１を介してＯＴＮ伝送装置１００Ｂへ送信され、ＯＴＮ伝送装置１００Ｂからクライアント装置１０１Ｂへ送信される。
【００４９】
ＡＮ部１３０Ａは、データ（ＲＸ＿Ｄａｔａ）として／Ｃ／（ＡＮリスタート）が入力されると、モード切替制御部１２３Ａに対して、ＡＮ＿Ｅｎａｂｌｅ＝１およびＡＮ＿Ｄａｔａ＝／Ｃ／（ＡＮリスタート）を出力する。ＡＮ＿Ｅｎａｂｌｅ＝１は、ＡＮモードへの切替を指示する制御信号である。
【００５０】
そして、ＡＮ部１３０Ａは、ＯＴＮ伝送装置１００Ｂからの／Ｃ／（アビリティ）がＧＦＰ−Ｔ部１２２Ａから入力されるまで待つ。／Ｃ／（アビリティ）は、送信元の装置が対応する伝送方式（たとえば全二重や半二重）を通知するコンフィギュレーションコードである。一例としては、非ゼロの値を有する／Ｃ／である。
【００５１】
モード切替制御部１２３Ａは、ＡＮ部１３０ＡからＡＮ＿Ｅｎａｂｌｅ＝１が入力されたことにより、トランスペアレントモードからＡＮモードに切り替わる。すなわち、モード切替制御部１２３Ａは、８Ｂ１０Ｂ部１２４Ａへ出力するデータ（ＴＸ＿Ｄａｔａ２）を、データ（ＴＸ＿Ｄａｔａ１）からデータ（ＡＮ＿Ｄａｔａ）に切り替える。これにより、ＡＮ部１３０から出力された／Ｃ／（ＡＮリスタート）がクライアント装置１０１Ａへ送信される。
【００５２】
クライアント装置１０１Ａは、ＯＴＮ伝送装置１００Ａから／Ｃ／（ＡＮリスタート）を受信すると、ＯＴＮ伝送装置１００Ａへ、自装置が対応する伝送方式を示す／Ｃ／（アビリティ）を送信する。クライアント装置１０１ＡからＯＴＮ伝送装置１００Ａへ送信された／Ｃ／（アビリティ）は、ＯＴＮ伝送装置１００ＡおよびＯＴＮ伝送路４０１を介してＯＴＮ伝送装置１００Ｂへ送信される。
【００５３】
クライアント装置１０１Ｂは、クライアント装置１０１Ａから送信され、ＯＴＮ伝送装置１００Ａ、ＯＴＮ伝送路４０１およびＯＴＮ伝送装置１００Ｂを介して伝送された／Ｃ／（ＡＮリスタート）を受信する。これに対して、クライアント装置１０１Ｂは、ＡＮを開始し、／Ｃ／（ＡＮリスタート）をＯＴＮ伝送装置１００Ｂへ送信する。
【００５４】
クライアント装置１０１ＢがＯＴＮ伝送装置１００Ｂへ送信した／Ｃ／（ＡＮリスタート）は、データ（ＲＸ＿Ｄａｔａ）としてＧＦＰ−Ｔ部１１４ＢおよびＡＮ部１３０Ｂへ入力される。ＧＦＰ−Ｔ部１１４Ｂへ入力された／Ｃ／（ＡＮリスタート）は、ＯＴＮ伝送路４０１を介してＯＴＮ伝送装置１００Ａへ送信される。
【００５５】
ＡＮ部１３０Ｂは、データ（ＲＸ＿Ｄａｔａ）として／Ｃ／（ＡＮリスタート）が入力されると、モード切替制御部１２３Ｂに対して、ＡＮ＿Ｅｎａｂｌｅ＝１およびＡＮ＿Ｄａｔａ＝／Ｃ／（ＡＮリスタート）を出力する。
【００５６】
モード切替制御部１２３Ｂは、ＡＮ部１３０ＢからＡＮ＿Ｅｎａｂｌｅ＝１が入力されたことにより、トランスペアレントモードからＡＮモードに切り替わる。これにより、モード切替制御部１２３Ｂは、８Ｂ１０Ｂ部１２４Ｂへ出力するデータ（ＴＸ＿Ｄａｔａ２）を、データ（ＴＸ＿Ｄａｔａ１）からデータ（ＡＮ＿Ｄａｔａ）に切り替える。これにより、ＡＮ部１３０Ｂから出力された／Ｃ／（ＡＮリスタート）がクライアント装置１０１Ｂへ送信される。
【００５７】
クライアント装置１０１Ｂは、ＯＴＮ伝送装置１００Ｂから／Ｃ／（ＡＮリスタート）を受信すると、ＯＴＮ伝送装置１００Ｂへ、自装置が対応する伝送方式を示す／Ｃ／（アビリティ）を送信する。クライアント装置１０１ＢからＯＴＮ伝送装置１００Ｂへ送信された／Ｃ／（アビリティ）は、ＯＴＮ伝送装置１００ＢおよびＯＴＮ伝送路４０１を介してＯＴＮ伝送装置１００Ａへ送信される。
【００５８】
ＡＮ部１３０Ａは、ＧＦＰ−Ｔ部１２２Ａからのデータ（ＴＸ＿Ｄａｔａ１）に含まれるクライアント装置１０１Ｂからの／Ｃ／（アビリティ）を検出すると、クライアント装置１０１Ａとの間でたとえばＩＥＥＥ８０２．３に準拠したＡＮプロセスを開始する。ＡＮ部１３０Ｂは、ＧＦＰ−Ｔ部１２２Ｂからのデータ（ＴＸ＿Ｄａｔａ１）に含まれるクライアント装置１０１Ａからの／Ｃ／（アビリティ）を検出すると、クライアント装置１０１Ｂとの間でたとえばＩＥＥＥ８０２．３に準拠したＡＮプロセスを開始する。
【００５９】
ＡＮ部１３０Ａは、ＯＴＮ伝送装置１００Ａとの間のＡＮプロセスが完了（リンクアップ）すると、モード切替制御部１２３ＡへＡＮ＿Ｅｎａｂｌｅ＝０およびＡＮ＿Ｄａｔａ＝／Ｉ／を出力する。／Ｉ／はアイドルコードである。また、ＡＮ部１３０Ａは、ＧＦＰ−Ｔ部１２２Ａからのデータ（ＴＸ＿Ｄａｔａ１）に含まれるクライアント装置１０１Ｂからの／Ｉ２／を検出するまで、モード切替制御部１２３ＡへＡＮ＿Ｄａｔａ＝／Ｉ／を出力し続ける。
【００６０】
これにより、クライアント装置１０１Ｂからの／Ｉ２／がＯＴＮ伝送装置１００Ａに受信されるまで、ＯＴＮ伝送装置１００Ａからクライアント装置１０１Ａへ／Ｉ／が送信される。このとき、クライアント装置１０１Ａは、ＯＴＮ伝送装置１００Ａへ／Ｉ／および／Ｄ／（データ）を送信する。
【００６１】
ＡＮ部１３０Ｂは、クライアント装置１０１Ｂとの間のＡＮプロセスが完了（リンクアップ）すると、モード切替制御部１２３ＢへＡＮ＿Ｅｎａｂｌｅ＝０およびＡＮ＿Ｄａｔａ＝／Ｉ／を出力する。また、ＡＮ部１３０Ｂは、ＧＦＰ−Ｔ部１２２Ｂからのデータ（ＴＸ＿Ｄａｔａ１）に含まれるクライアント装置１０１Ａからの／Ｉ２／を検出するまで、モード切替制御部１２３ＢへＡＮ＿Ｄａｔａ＝／Ｉ／を出力し続ける。
【００６２】
これにより、クライアント装置１０１Ａからの／Ｉ２／がＯＴＮ伝送装置１００Ｂに受信されるまで、ＯＴＮ伝送装置１００Ｂからクライアント装置１０１Ｂへ／Ｉ／が送信される。このとき、クライアント装置１０１Ｂは、ＯＴＮ伝送装置１００Ｂへ／Ｉ／および／Ｄ／（データ）を送信する。
【００６３】
モード切替制御部１２３Ａは、ＡＮ部１３０ＡからＡＮ＿Ｅｎａｂｌｅ＝０が出力され、ＧＦＰ−Ｔ部１２２Ａから出力されるデータ（ＴＸ＿Ｄａｔａ１）から／Ｉ２／を検出すると、ＡＮモードからトランスペアレントモードに戻る。すなわち、モード切替制御部１２３Ａは、８Ｂ１０Ｂ部１２４Ａへ出力するデータ（ＴＸ＿Ｄａｔａ２）を、ＡＮ＿ＤａｔａからＴＸ＿Ｄａｔａ１に切り替える。これにより、クライアント装置１０１Ｂからのデータがクライアント装置１０１Ａへ送信される。
【００６４】
モード切替制御部１２３Ｂは、ＡＮ部１３０ＢからＡＮ＿Ｅｎａｂｌｅ＝０が出力され、ＧＦＰ−Ｔ部１２２Ｂから出力されるデータ（ＴＸ＿Ｄａｔａ１）から／Ｉ２／を検出すると、ＡＮモードからトランスペアレントモードに戻る。すなわち、モード切替制御部１２３Ｂは、８Ｂ１０Ｂ部１２４Ｂへ出力するデータ（ＴＸ＿Ｄａｔａ２）を、ＡＮ＿ＤａｔａからＴＸ＿Ｄａｔａ１に切り替える。これにより、クライアント装置１０１Ａからのデータがクライアント装置１０１Ｂへ送信される。
【００６５】
以上のプロセスが完了すると、クライアント装置１０１Ａとクライアント装置１０１Ｂは、ＯＴＮ伝送装置１００Ａ，１００Ｂを含むＯＴＮを介してトランスペアレントに接続された状態となる。
【００６６】
（実施の形態にかかる伝送システムにおけるプロトコルスタック）
図５は、実施の形態にかかる伝送システムにおけるプロトコルスタックの一例を示す図である。図５において、図４に示した部分と同様の部分については同一の符号を付して説明を省略する。図５に示すように、ＯＴＮ伝送装置１００Ａ，１００Ｂは、クライアント装置１０１Ａとクライアント装置１０１Ｂとの間で伝送される信号を、レイヤ２（ＧＭＩＩ、ＲＳ、ＭＡＣ）以上の処理を行わずにトランスペアレントに中継する。また、ＯＴＮ伝送装置１００Ａ，１００Ｂは、ＰＣＳレイヤにおいてＡＮを行う機能を有し、それぞれクライアント装置１０１Ａ，１０１Ｂとの間でＡＮを行う。ＰＣＳはＰｈｙｓｉｃａｌ  Ｃｏｄｉｎｇ  Ｓｕｂｌａｙｅｒの略である。
【００６７】
なお、図５に示すように、クライアント装置１０１ＡとＯＴＮ伝送装置１００Ａとの間は、一例としては、１０００ＢＡＳＥ−Ｘ等を用いた光ファイバ（たとえば４０［ｋｍ］以下）により接続されている。また、クライアント装置１０１ＢとＯＴＮ伝送装置１００Ｂとの間は、一例としては、１０００ＢＡＳＥ−Ｘ等を用いた光ファイバ（たとえば４０［ｋｍ］以下）により接続されている。
【００６８】
また、ＯＴＮ伝送装置１００ＡとＯＴＮ伝送装置１００Ｂとの間は、一例としては１０００［ｋｍ］以上のＯＴＮ伝送路４０１により接続されている。なお、ＯＴＮ伝送路４０１は、光ファイバのみに限らず、各種の光中継装置を含んでいてもよい。また、クライアント装置１０１Ａ，１０１Ｂのそれぞれは、一例としてはＬＡＮにおけるスイッチ（ＬＡＮＳＷ）に適用することができる。
【００６９】
（実施の形態にかかるクライアント装置による処理）
図６は、実施の形態にかかるクライアント装置による処理の一例を示すフローチャートである。実施の形態にかかるクライアント装置１０１は、たとえば再起動時に図６に示す各ステップを実行する。まず、クライアント装置１０１は、接続先のＯＴＮ伝送装置１００へ／Ｃ／（ＡＮリスタート）を送信する（ステップＳ６０１）。
【００７０】
つぎに、クライアント装置１０１は、接続先のＯＴＮ伝送装置１００から／Ｃ／（ＡＮリスタート）を受信したか否かを判断し（ステップＳ６０２）、／Ｃ／（ＡＮリスタート）を受信するまで待つ（ステップＳ６０２：Ｎｏのループ）。また、クライアント装置１０１は、ステップＳ６０１から所定時間内に／Ｃ／（ＡＮリスタート）を受信しなかった場合は、ＡＮに失敗したと判断してステップＳ６０１へ戻ってもよい。
【００７１】
ステップＳ６０２において、／Ｃ／（ＡＮリスタート）を受信すると（ステップＳ６０２：Ｙｅｓ）、クライアント装置１０１は、接続先のＯＴＮ伝送装置１００へ／Ｃ／（アビリティ）を送信する（ステップＳ６０３）。
【００７２】
つぎに、クライアント装置１０１は、接続先のＯＴＮ伝送装置１００から、／Ｃ／（アビリティ）および／Ｃ／（ＡＣＫ）を受信したか否かを判断し（ステップＳ６０４）、受信するまで待つ（ステップＳ６０４：Ｎｏのループ）。この／Ｃ／（ＡＣＫ）は、ステップＳ６０３により送信した／Ｃ／（アビリティ）に対する応答信号である。また、クライアント装置１０１は、ステップＳ６０３から所定時間内に／Ｃ／（アビリティ）および／Ｃ／（ＡＣＫ）を受信しなかった場合は、ＡＮに失敗したと判断してステップＳ６０１へ戻ってもよい。
【００７３】
ステップＳ６０４において、／Ｃ／（アビリティ）および／Ｃ／（ＡＣＫ）を受信すると（ステップＳ６０４：Ｙｅｓ）、クライアント装置１０１は、接続先のＯＴＮ伝送装置１００へ／Ｃ／（ＡＣＫ）を送信する（ステップＳ６０５）。この／Ｃ／（ＡＣＫ）は、ステップＳ６０４において受信した／Ｃ／（アビリティ）に対する応答信号である。また、ステップＳ６０４において／Ｃ／（アビリティ）を／Ｃ／（ＡＣＫ）より先に受信した場合は、クライアント装置１０１は、／Ｃ／（ＡＣＫ）の受信より前にクライアント装置１０１へ／Ｃ／（ＡＣＫ）を送信してもよい。
【００７４】
つぎに、クライアント装置１０１は、ステップＳ６０５から所定時間待機する（ステップＳ６０６）。つぎに、クライアント装置１０１は、接続先のＯＴＮ伝送装置１００へ／Ｉ／を送信する（ステップＳ６０７）。
【００７５】
つぎに、クライアント装置１０１は、接続先のＯＴＮ伝送装置１００から／Ｉ／を受信したか否かを判断し（ステップＳ６０８）、／Ｉ／を受信するまで待つ（ステップＳ６０８：Ｎｏのループ）。また、クライアント装置１０１は、ステップＳ６０６の終了から所定時間内に／Ｉ／を受信しなかった場合は、ＡＮに失敗したと判断してステップＳ６０１へ戻ってもよい。
【００７６】
ステップＳ６０８において、／Ｉ／を受信すると（ステップＳ６０８：Ｙｅｓ）、クライアント装置１０１は、対向先のクライアント装置との間で主信号伝送を開始する（ステップＳ６０９）。ステップＳ６０９によって開始される主信号伝送は、ＧＦＰ−Ｔ方式と同様に、ＯＴＮを介してトランスペアレントに行われる。
【００７７】
つぎに、クライアント装置１０１は、接続先のＯＴＮ伝送装置１００から／Ｃ／（ＡＮリスタート）を受信したか否かを判断し（ステップＳ６１０）、／Ｃ／（ＡＮリスタート）を受信するまで待つ（ステップＳ６１０：Ｎｏのループ）。／Ｃ／（ＡＮリスタート）を受信すると（ステップＳ６１０：Ｙｅｓ）、クライアント装置１０１は、ステップＳ６０１へ戻る。これにより、たとえば対向先のクライアント装置が再起動した場合に、対向先のクライアント装置との間のＡＮをやり直すことができる。
【００７８】
（実施の形態にかかるＯＴＮ伝送装置による処理）
図７は、実施の形態にかかるＯＴＮ伝送装置による処理の一例を示すフローチャートである。実施の形態にかかるＯＴＮ伝送装置１００は、たとえば図７に示す各ステップを実行する。まず、ＯＴＮ伝送装置１００は、配下のクライアント装置１０１から／Ｃ／（ＡＮリスタート）を受信したか否かを判断し（ステップＳ７０１）、／Ｃ／（ＡＮリスタート）を受信するまで待つ（ステップＳ７０１：Ｎｏのループ）。
【００７９】
ステップＳ７０１において、／Ｃ／（ＡＮリスタート）を受信すると（ステップＳ７０１：Ｙｅｓ）、ＯＴＮ伝送装置１００は、ステップＳ７０２へ移行する。すなわち、ＯＴＮ伝送装置１００は、配下のクライアント装置１０１と対向するクライアント装置へ、ＯＴＮ伝送路４０１を介して／Ｃ／（ＡＮリスタート）を送信するとともに、ＡＮモードへ移行する（ステップＳ７０２）。
【００８０】
つぎに、ＯＴＮ伝送装置１００は、配下のクライアント装置１０１へ／Ｃ／（ＡＮリスタート）を送信する（ステップＳ７０３）。つぎに、ＯＴＮ伝送装置１００は、配下のクライアント装置１０１と対向するクライアント装置からＯＴＮ伝送路４０１を介して／Ｃ／（アビリティ）を受信したか否かを判断する（ステップＳ７０４）。そして、ＯＴＮ伝送装置１００は、／Ｃ／（アビリティ）を受信するまで待つ（ステップＳ７０４：Ｎｏのループ）。
【００８１】
ステップＳ７０４において、／Ｃ／（アビリティ）を受信すると（ステップＳ７０４：Ｙｅｓ）、ＯＴＮ伝送装置１００は、配下のクライアント装置１０１へ／Ｃ／（アビリティ）を送信する。また、ＯＴＮ伝送装置１００は、配下のクライアント装置１０１から送信される／Ｃ／（アビリティ）を受信する（ステップＳ７０５）。ただし、ＯＴＮ伝送装置１００は、たとえばステップＳ７０４において／Ｃ／（アビリティ）を待っている間に配下のクライアント装置１０１から／Ｃ／（アビリティ）が送信された場合は、ステップＳ７０５の前にその／Ｃ／（アビリティ）を受信する。
【００８２】
つぎに、ＯＴＮ伝送装置１００は、配下のクライアント装置１０１へ／Ｃ／（ＡＣＫ）を送信し、配下のクライアント装置１０１から送信される／Ｃ／（ＡＣＫ）を受信する（ステップＳ７０６）。ステップＳ７０６において送信される／Ｃ／（ＡＣＫ）は、ステップＳ７０５により受信された／Ｃ／（アビリティ）に対する応答信号である。ステップＳ７０６において受信される／Ｃ／（ＡＣＫ）は、ステップＳ７０５により送信された／Ｃ／（アビリティ）に対する応答信号である。
【００８３】
つぎに、ＯＴＮ伝送装置１００は、配下のクライアント装置１０１へ／Ｉ／を送信し、配下のクライアント装置１０１から送信される／Ｉ／を受信する（ステップＳ７０７）。つぎに、ＯＴＮ伝送装置１００は、配下のクライアント装置１０１と対向するクライアント装置からＯＴＮ伝送路４０１を介して／Ｉ２／を受信したか否かを判断し（ステップＳ７０８）、／Ｉ２／を受信するまで待つ（ステップＳ７０８：Ｎｏのループ）。
【００８４】
ステップＳ７０８において、／Ｉ２／を受信すると（ステップＳ７０８：Ｙｅｓ）、ＯＴＮ伝送装置１００は、トランスペアレントモードへ移行し（ステップＳ７０９）、ステップＳ７０１へ戻る。ステップＳ７０９によってＯＴＮ伝送装置１００がトランスペアレントモードへ移行することにより、クライアント装置１０１と、クライアント装置１０１と対向するクライアント装置と、の間で主信号伝送が開始される。
【００８５】
（実施の形態にかかるモード切替制御部による処理）
図８は、実施の形態にかかるモード切替制御部による処理を示す状態遷移図である。ＯＴＮ伝送装置１００のモード切替制御部１２３は、たとえば図８に示すステートマシン（状態遷移図）に従って、８Ｂ１０Ｂ部１２４へ出力するデータ（ＴＸ＿Ｄａｔａ２）を選択する。
【００８６】
図８に示すステートマシンに示すように、モード切替制御部１２３が遷移する状態には、たとえば、ＡＮモード８０１と、アイドル検出待ち状態８０２と、トランスペアレントモード８０３と、が含まれる。まず、モード切替制御部１２３はＡＮ部１３０からの制御信号（ＡＮ＿Ｅｎａｂｌｅ）が“１”になると、ＡＮモード８０１に遷移する。
【００８７】
ＡＮモード８０１において、モード切替制御部１２３は、ＡＮ部１３０からのデータ（ＡＮ＿Ｄａｔａ）をデータ（ＴＸ＿Ｄａｔａ２）として８Ｂ１０Ｂ部１２４へ出力する。また、モード切替制御部１２３は、ＡＮモード８０１においてＡＮ部１３０からの制御信号（ＡＮ＿Ｅｎａｂｌｅ）が“０”になると、アイドル検出待ち状態８０２へ遷移する。
【００８８】
アイドル検出待ち状態８０２において、モード切替制御部１２３は、ＡＮ部１３０からの制御信号（ＡＮ＿Ｄａｔａ）をデータ（ＴＸ＿Ｄａｔａ２）として８Ｂ１０Ｂ部１２４へ出力する。また、モード切替制御部１２３は、たとえばアイドル検出待ち状態８０２において、ＡＮが失敗してＡＮ部１３０からの制御信号（ＡＮ＿Ｅｎａｂｌｅ）が“１”になると、ＡＮモード８０１へ戻る。また、モード切替制御部１２３は、アイドル検出待ち状態８０２においてＧＦＰ−Ｔ部１２２からのデータ（ＴＸ＿Ｄａｔａ１）がアイドルコード／Ｉ２／になると、トランスペアレントモード８０３へ遷移する。
【００８９】
トランスペアレントモード８０３において、モード切替制御部１２３は、ＧＦＰ−Ｔ部１２２からのデータ（ＴＸ＿Ｄａｔａ１）をデータ（ＴＸ＿Ｄａｔａ２）として８Ｂ１０Ｂ部１２４へ出力する。また、モード切替制御部１２３は、トランスペアレントモード８０３においてＡＮ部１３０からの制御信号（ＡＮ＿Ｅｎａｂｌｅ）が“１”になると、ＡＮモード８０１へ遷移する。
【００９０】
図８に示したように、モード切替制御部１２３は、ＡＮが完了してＡＮ部１３０からの制御信号（ＡＮ＿Ｅｎａｂｌｅ）が“０”になった場合に、対向装置からのフレーム伝送が途切れるまで待機してからトランスペアレントモード８０３へ移行する。これにより、対向装置からのフレームが破壊されて配下のクライアント装置１０１においてエラーとなることを回避することができる。
【００９１】
（実施の形態にかかるＡＮ部による処理）
図９は、実施の形態にかかるＡＮ部による処理を示す状態遷移図である。ＡＮ部１３０は、たとえば図９に示すステートマシン（状態遷移図）に従って、データ（ＡＮ＿Ｄａｔａ）および制御信号（ＡＮ＿Ｅｎａｂｌｅ）をモード切替制御部１２３へ出力する。
【００９２】
図９に示すステートマシンに示すように、ＡＮ部１３０が遷移する状態には、たとえば、アビリティ値検出待ち状態９０１と、アビリティ値応答状態９０２と、ＡＮ完了状態９０３と、が含まれる。まず、ＡＮ部１３０は、８Ｂ１０Ｂ部１１３から出力されるデータ（ＲＸ＿Ｄａｔａ）が／Ｃ／（ＡＮリスタート）になると、アビリティ値検出待ち状態９０１に遷移する。
【００９３】
アビリティ値検出待ち状態９０１において、ＡＮ部１３０は、モード切替制御部１２３へ、制御信号（ＡＮ＿Ｅｎａｂｌｅ）として“１”を出力し、データ（ＡＮ＿Ｄａｔａ）として／Ｃ／を出力する。この／Ｃ／は、たとえば構成レジスタｔｘ＿Ｃｏｎｆｉｇ＿Ｒｅｇ＜Ｄ１５：Ｄ０＞を“０”としたＡＮのリスタートを通知する／Ｃ／（ＡＮリスタート）である。また、ＡＮ部１３０は、アビリティ値検出待ち状態９０１においてＧＦＰ−Ｔ部１２２からのデータ（ＴＸ＿Ｄａｔａ１）が／Ｃ／（アビリティ）になると、アビリティ値応答状態９０２へ遷移する。
【００９４】
アビリティ値応答状態９０２において、ＡＮ部１３０は、モード切替制御部１２３へ、制御信号（ＡＮ＿Ｅｎａｂｌｅ）として“１”を出力し、データ（ＡＮ＿Ｄａｔａ）として／Ｃ／を出力する。この／Ｃ／には、たとえば／Ｃ／（アビリティ）と／Ｃ／（ＡＣＫ）が含まれる。／Ｃ／（アビリティ）は、たとえば構成レジスタｔｘ＿Ｃｏｎｆｉｇ＿Ｒｅｇ＜Ｄ１４＞を“０”とし、構成レジスタｔｘ＿Ｃｏｎｆｉｇ＿Ｒｅｇ＜Ｄ１５，Ｄ３１：Ｄ０＞をａｂｉｌｉｔｙとしたアビリティ値を示すコンフィギュレーションコードである。
【００９５】
この／Ｃ／（アビリティ）は、ＧＦＰ−Ｔ部１２２から出力されたデータ（ＴＸ＿Ｄａｔａ１）に含まれる対向装置からの／Ｃ／（アビリティ）であってもよいし、マネジメントインタフェースによって設定された／Ｃ／（アビリティ）であってもよい。／Ｃ／（ＡＣＫ）は、構成レジスタｔｘ＿Ｃｏｎｆｉｇ＿Ｒｅｇ＜Ｄ１４＞を“１”とした、自装置側のクライアント装置１０１からの／Ｃ／（アビリティ）に対する応答信号である。
【００９６】
また、ＡＮ部１３０は、アビリティ値応答状態９０２において、ＡＮの実施後、８Ｂ１０Ｂ部１１３からのデータ（ＲＸ＿Ｄａｔａ）が／Ｉ／（たとえば／Ｉ２／）になると、ＡＮ完了状態９０３へ遷移する。
【００９７】
ＡＮ完了状態９０３において、ＡＮ部１３０は、モード切替制御部１２３へ、制御信号（ＡＮ＿Ｅｎａｂｌｅ）として“０”を出力し、データ（ＡＮ＿Ｄａｔａ）として／Ｉ／を出力する。また、ＡＮ部１３０は、ＡＮ完了状態９０３において８Ｂ１０Ｂ部１１３からのデータ（ＲＸ＿Ｄａｔａ）が／Ｃ／（ＡＮリスタート）になると、アビリティ値検出待ち状態９０１へ遷移する。
【００９８】
（実施の形態にかかる伝送システムにおける処理）
図１０は、実施の形態にかかる伝送システムにおける処理の一例を示すシーケンス図である。伝送システム４００においては、たとえば図１０に示す各ステップが実行される。初期状態において、ＯＴＮ伝送装置１００Ａ，１００Ｂがトランスペアレントモードであるとする。この状態において、クライアント装置１０１Ａが再起動してＡＮ処理を開始（ＡＮリスタート）したとする。
【００９９】
まず、クライアント装置１０１Ａは、／Ｃ／（ＡＮリスタート）をＯＴＮ伝送装置１００Ａへ送信する（ステップＳ１００１）。また、クライアント装置１０１Ａは、ステップＳ１００１により／Ｃ／（ＡＮリスタート）を送信してから所定時間（たとえば１０［ｍｓ］）、ＯＴＮ伝送装置１００Ａからの／Ｃ／（ＡＮリスタート）の受信待ちを行う。
【０１００】
ＯＴＮ伝送装置１００Ａは、ステップＳ１００１により／Ｃ／（ＡＮリスタート）を受信したことにより、ＡＮ処理を開始（ＡＮリスタート）し、トランスペアレントモードからＡＮモードに切り替わる。また、ステップＳ１００１により送信された／Ｃ／（ＡＮリスタート）は、ＯＴＮ伝送装置１００Ａ，１００Ｂを介してクライアント装置１０１Ｂへ送信される。
【０１０１】
つぎに、ＯＴＮ伝送装置１００Ａが、／Ｃ／（ＡＮリスタート）をクライアント装置１０１Ａへ送信する（ステップＳ１００２）。また、ＯＴＮ伝送装置１００Ａは、ステップＳ１００１から所定時間（たとえば１０［ｍｓ］）が経過すると、クライアント装置１０１Ｂからの／Ｃ／（アビリティ）の受信待ちを行う。
【０１０２】
つぎに、クライアント装置１０１Ａが、ステップＳ１００２により／Ｃ／（ＡＮリスタート）を受信したことにより、／Ｃ／（アビリティ）をＯＴＮ伝送装置１００Ａへ送信する（ステップＳ１００３）。ステップＳ１００３により送信された／Ｃ／（アビリティ）は、ＯＴＮ伝送装置１００Ａを介してＯＴＮ伝送装置１００Ｂへ送信される。
【０１０３】
クライアント装置１０１Ｂは、ステップＳ１００１により／Ｃ／（ＡＮリスタート）を受信したことにより、ＡＮ処理を開始（ＡＮリスタート）する。つぎに、クライアント装置１０１Ｂが、／Ｃ／（ＡＮリスタート）をＯＴＮ伝送装置１００Ｂへ送信する（ステップＳ１００４）。また、クライアント装置１０１Ｂは、ステップＳ１００４により／Ｃ／（ＡＮリスタート）を送信してから所定時間（たとえば１０［ｍｓ］）、ＯＴＮ伝送装置１００Ｂからの／Ｃ／（ＡＮリスタート）の受信待ちを行う。
【０１０４】
ＯＴＮ伝送装置１００Ｂは、ステップＳ１００４により／Ｃ／（ＡＮリスタート）を受信したことにより、ＡＮ処理を開始（ＡＮリスタート）し、トランスペアレントモードからＡＮモードに切り替わる。したがって、ＯＴＮ伝送装置１００Ｂは、ステップＳ１００３により送信された／Ｃ／（アビリティ）をクライアント装置１０１Ｂへ送信しない。
【０１０５】
つぎに、ＯＴＮ伝送装置１００Ｂが、／Ｃ／（ＡＮリスタート）をクライアント装置１０１Ｂへ送信する（ステップＳ１００５）。また、ＯＴＮ伝送装置１００Ｂは、ステップＳ１００５により／Ｃ／（ＡＮリスタート）を送信してから所定時間（たとえば１０［ｍｓ］）、クライアント装置１０１Ｂからの／Ｃ／（アビリティ）の受信待ちを行う。
【０１０６】
つぎに、クライアント装置１０１Ｂが、ステップＳ１００５により／Ｃ／（ＡＮリスタート）を受信したことにより、／Ｃ／（アビリティ）をＯＴＮ伝送装置１００Ｂへ送信する（ステップＳ１００６）。ステップＳ１００６により送信された／Ｃ／（アビリティ）は、ＯＴＮ伝送装置１００Ｂを介してＯＴＮ伝送装置１００Ａへ送信される。
【０１０７】
つぎに、ＯＴＮ伝送装置１００Ｂが、／Ｃ／（アビリティ）をクライアント装置１０１Ｂへ送信する（ステップＳ１００７）。また、ＯＴＮ伝送装置１００Ｂが、ステップＳ１００６により送信された／Ｃ／（アビリティ）に対する／Ｃ／（ＡＣＫ）をクライアント装置１０１Ｂへ送信する（ステップＳ１００８）。つぎに、クライアント装置１０１Ｂが、ステップＳ１００７により送信された／Ｃ／（アビリティ）に対する／Ｃ／（ＡＣＫ）をＯＴＮ伝送装置１００Ｂへ送信する（ステップＳ１００９）。
【０１０８】
また、ＯＴＮ伝送装置１００Ａが、ステップＳ１００６により／Ｃ／（アビリティ）を受信したことにより、／Ｃ／（アビリティ）をクライアント装置１０１Ａへ送信する（ステップＳ１０１０）。また、ＯＴＮ伝送装置１００Ａが、ステップＳ１００３により送信された／Ｃ／（アビリティ）に対する／Ｃ／（ＡＣＫ）をクライアント装置１０１Ａへ送信する（ステップＳ１０１１）。
【０１０９】
つぎに、クライアント装置１０１Ａが、ステップＳ１０１０により送信された／Ｃ／（アビリティ）に対する／Ｃ／（ＡＣＫ）をＯＴＮ伝送装置１００Ａへ送信する（ステップＳ１０１２）。
【０１１０】
つぎに、クライアント装置１０１Ｂが、ステップＳ１００８により／Ｃ／（ＡＣＫ）を受信してから所定時間（たとえば１０［ｍｓ］）待機した後に、／Ｉ／をＯＴＮ伝送装置１００Ｂへ送信する（ステップＳ１０１３）。ステップＳ１０１３により送信された／Ｉ／は、ＯＴＮ伝送装置１００Ｂを介してＯＴＮ伝送装置１００Ａへ送信されるが、ＯＴＮ伝送装置１００ＡはＡＮモードであるためＯＴＮ伝送装置１００Ａからクライアント装置１０１Ａへは送信されない。
【０１１１】
また、ＯＴＮ伝送装置１００Ｂが、ステップＳ１００９により／Ｃ／（ＡＣＫ）を受信してから所定時間（たとえば１０［ｍｓ］）待機した後に、／Ｉ／をクライアント装置１０１Ｂへ送信する（ステップＳ１０１４）。
【０１１２】
また、クライアント装置１０１Ａが、ステップＳ１０１１により／Ｃ／（ＡＣＫ）を受信してから所定時間（たとえば１０［ｍｓ］）待機した後に、／Ｉ／をＯＴＮ伝送装置１００Ａへ送信する（ステップＳ１０１５）。ステップＳ１０１５により送信された／Ｉ／は、ＯＴＮ伝送装置１００Ａを介してＯＴＮ伝送装置１００Ｂへ送信されるが、ＯＴＮ伝送装置１００ＢはＡＮモードであるためＯＴＮ伝送装置１００Ｂからクライアント装置１０１Ｂへは送信されない。
【０１１３】
また、ＯＴＮ伝送装置１００Ａが、ステップＳ１０１２により／Ｃ／（ＡＣＫ）を受信してから所定時間（たとえば１０［ｍｓ］）待機した後に、／Ｉ／をクライアント装置１０１Ａへ送信する（ステップＳ１０１６）。
【０１１４】
つぎに、クライアント装置１０１Ｂが、ステップＳ１０１４によりＯＴＮ伝送装置１００Ｂから／Ｉ／を受信したことにより、／Ｄ／をＯＴＮ伝送装置１００Ｂへ送信する（ステップＳ１０１７）。／Ｄ／は、合間に／Ｉ１／や／Ｉ２／を含むデータ信号である。ステップＳ１０１７により送信された／Ｄ／は、ＯＴＮ伝送装置１００Ｂを介してＯＴＮ伝送装置１００Ａへ送信されるが、ＯＴＮ伝送装置１００ＡはＡＮモードであるためＯＴＮ伝送装置１００Ａからクライアント装置１０１Ａへは送信されない。また、ＯＴＮ伝送装置１００Ｂは、ステップＳ１０１７により送信された／Ｄ／から／Ｉ２／を検出すると、ＡＮモードからトランスペアレントモードに切り替わる。
【０１１５】
また、クライアント装置１０１Ａが、ステップＳ１０１６によりＯＴＮ伝送装置１００Ａから／Ｉ／を受信したことにより、／Ｄ／をＯＴＮ伝送装置１００Ａへ送信する（ステップＳ１０１８）。ステップＳ１０１８により送信された／Ｄ／は、ＯＴＮ伝送装置１００Ａを介してＯＴＮ伝送装置１００Ｂへ送信される。このとき、ＯＴＮ伝送装置１００Ｂはトランスペアレントモードに切り替わっているため、この／Ｄ／はＯＴＮ伝送装置１００ＢからＯＴＮ伝送装置１００Ｂへ送信される。
【０１１６】
また、ＯＴＮ伝送装置１００Ａは、ステップＳ１０１８により送信された／Ｄ／から／Ｉ２／を検出すると、ＡＮモードからトランスペアレントモードに切り替わる。これにより、クライアント装置１０１ＢからＯＴＮ伝送装置１００Ｂを介してＯＴＮ伝送装置１００Ａへ送信された／Ｄ／が、ＯＴＮ伝送装置１００Ａからクライアント装置１０１Ａへ送信される状態になる。
【０１１７】
（実施の形態にかかる伝送システムを適用したネットワーク）
図１１は、実施の形態にかかる伝送システムを適用したネットワークの一例を示す図である。図１１に示すネットワーク１１００は、クライアント装置１１１１〜１１１４と、ＯＴＮ伝送装置１１２１〜１１２７と、を含む。クライアント装置１１１１〜１１１４は、一例としては１００ＢＡＳＥ−Ｘ等のイーサネットに対応するクライアント装置である。たとえば、クライアント装置１１１１，１１１２は、ＯＴＮ伝送装置１１２１におけるＬＯ−ＯＤＵｋのクライアント側のインタフェースカードに接続されている。
【０１１８】
ＯＴＮ伝送装置１１２１〜１１２７は、ＨＯ  ＯＤＵｋ／ＯＴＵｋパス等の波長パスにより互いに接続されている。たとえば、ＯＴＮ伝送装置１１２１，１１２２はＨＯ  ＯＤＵｋ／ＯＴＵｋのライン側のインタフェースカードを介して互いに接続されている。パス１１３１は、ＯＴＮ伝送装置１１２１，１１２２，１１２４，１１２５を経由するクライアント装置１１１１，１１１４の間のＬＯ−ＯＤＵｊパスである。
【０１１９】
図４に示した伝送システム４００は、一例としてはネットワーク１１００に適用することができる。たとえば、図４に示したクライアント装置１０１Ａ，１０１Ｂは、それぞれクライアント装置１１１１，１１１４に適用することができる。また、図４に示したＯＴＮ伝送装置１００Ａ，１００Ｂは、それぞれＯＴＮ伝送装置１１２１，１１２５に適用することができる。この場合に、図４に示したＯＴＮ伝送路４０１には、たとえばＯＴＮ伝送装置１１２２，１１２４が含まれる。
【０１２０】
（実施の形態にかかるＯＴＮ伝送装置のハードウェア構成）
図１２は、実施の形態にかかるＯＴＮ伝送装置のハードウェア構成の一例を示す図である。図１に示したＯＴＮ伝送装置１００は、たとえば図１２に示す伝送装置１２００により実現することができる。伝送装置１２００は、ＣＰＵ１２０１と、メモリ１２０２と、マネジメントインタフェース１２０３と、クライアント側通信インタフェース１２０４と、ＯＴＮ側通信インタフェース１２０５と、を備える。ＣＰＵ１２０１、メモリ１２０２、マネジメントインタフェース１２０３、クライアント側通信インタフェース１２０４およびＯＴＮ側通信インタフェース１２０５は、バス１２０９によって接続される。
【０１２１】
ＣＰＵ１２０１（Ｃｅｎｔｒａｌ  Ｐｒｏｃｅｓｓｉｎｇ  Ｕｎｉｔ）は、伝送装置１２００の全体の制御を司る。メモリ１２０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ１２０１のワークエリアとして使用される。補助メモリは、たとえば磁気ディスク、光ディスク、フラッシュメモリなどの不揮発メモリである。補助メモリには、伝送装置１２００を動作させる各種のプログラムが記憶されている。補助メモリに記憶されたプログラムは、メインメモリにロードされてＣＰＵ１２０１によって実行される。
【０１２２】
マネジメントインタフェース１２０３は、たとえば、伝送装置１２００に対する各種の設定を受付可能なインタフェースである。たとえば、マネジメントインタフェース１２０３は、伝送装置１２００の外部（伝送装置１２００の管理装置）からネットワーク経由で送信される、伝送装置１２００に対して各種の設定を指示する制御信号を受信する通信インタフェースである。
【０１２３】
または、マネジメントインタフェース１２０３は、ユーザからの操作入力を受け付ける入力デバイスや、ユーザへ情報を出力する出力デバイスなどを含むユーザインタフェースであってもよい。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。マネジメントインタフェース１２０３は、ＣＰＵ１２０１によって制御される。
【０１２４】
クライアント側通信インタフェース１２０４は、クライアント装置１０１との間で通信を行う通信インタフェースである。クライアント側通信インタフェース１２０４によるクライアント装置１０１との間の通信には、光通信、電気通信、無線通信など各種の通信を用いることができる。クライアント側通信インタフェース１２０４は、ＣＰＵ１２０１によって制御される。
【０１２５】
ＯＴＮ側通信インタフェース１２０５は、ＯＴＮ伝送路４０１を介して他のＯＴＮ伝送装置との間で通信を行う通信インタフェースである。ＯＴＮ側通信インタフェース１２０５は、ＣＰＵ１２０１によって制御される。
【０１２６】
図１に示したＰＭＤ部１１１，１２６、ＰＭＡ部１１２，１２５および８Ｂ１０Ｂ部１１３，１２４は、たとえばクライアント側通信インタフェース１２０４により実現することができる。図１に示したＧＦＰ−Ｔ部１１４，１２２およびＯＴＮ部１１５，１２１は、たとえばＯＴＮ側通信インタフェース１２０５により実現することができる。
【０１２７】
図１に示したモード切替制御部１２３およびＡＮ部１３０は、たとえばＣＰＵ１２０１により実現することができる。または、図１に示したモード切替制御部１２３およびＡＮ部１３０のそれぞれは、クライアント側通信インタフェース１２０４またはＯＴＮ側通信インタフェース１２０５により実現してもよい。
【０１２８】
このように、実施の形態にかかる伝送システム４００によれば、クライアント装置間の信号伝送をトランスペアレントに中継可能な伝送網の各伝送装置が、それぞれ自装置に接続されたクライアント装置との間でＡＮ処理を行うことができる。ＡＮ処理は、一例としては、上述した／Ｃ／（ＡＮリスタート）、／Ｃ／（アビリティ）、／Ｃ／（ＡＣＫ）および／Ｉ／の送受信である。
【０１２９】
たとえば、ＯＴＮ伝送装置１００Ａは、クライアント装置１０１Ａから認証処理に関する制御信号とデータを受信し、受信した制御信号に基づいてクライアント装置１０１Ａと通信を確立する。そして、ＯＴＮ伝送装置１００Ａは、クライアント装置１０１Ａと通信を確立した後に、クライアント装置１０１Ａから受信したデータをクライアント装置１０１Ｂに中継する。また、ＯＴＮ伝送装置１００Ｂは、クライアント装置１０１Ｂから認証処理に関する制御信号とデータを受信し、受信した制御信号に基づいてクライアント装置１０１Ｂと通信を確立する。そして、ＯＴＮ伝送装置１００Ｂは、クライアント装置１０１Ｂと通信を確立した後に、クライアント装置１０１Ｂから受信したデータをクライアント装置１０１Ａに中継する。
【０１３０】
これにより、伝送網を介して接続されたクライアント装置間のリンクアップを可能にしつつ、伝送網の伝送遅延が大きくてもタイムアウトを回避してリンクアップを完了することができる。たとえば、ＧＦＰ−Ｔ方式と同様にＯＴＮを介して接続されたクライアント装置間のリンクアップを可能にしつつ、ＯＴＮの伝送遅延が大きくてもタイムアウトを回避してリンクアップを完了することができる。
【０１３１】
たとえば、伝送システム４００は、伝送網の第１伝送装置および第２伝送装置と、第１伝送装置に接続された第１クライアント装置と、第２伝送装置に接続された第２クライアント装置と、を含む。第１伝送装置は、第２クライアント装置と第２伝送装置との間のＡＮ処理の経過に応じて、第１クライアント装置と第１伝送装置との間のＡＮ処理を行う。第２伝送装置は、第１クライアント装置と第１伝送装置との間のＡＮ処理の経過に応じて、第２クライアント装置と第２伝送装置との間のＡＮ処理を行う。
【０１３２】
これにより、第１クライアント装置および第２クライアント装置は、互いに直接的にＡＮ処理を行わなくても、互いに通信可能な状態であることを確認してリンクアップすることができる。
【０１３３】
また、たとえば、第１伝送装置は、第１クライアント装置との間でＡＮ処理を行う際に、第１クライアント装置から送信された信号をトランスペアレントに第２伝送装置へ転送する。また、このとき、第１伝送装置は、第２クライアント装置から第２伝送装置を介して送信された信号を第１クライアント装置へ転送しない。また、第２伝送装置は、第２クライアント装置との間でＡＮ処理を行う際に、第２クライアント装置から送信された信号をトランスペアレントに第１伝送装置へ転送する。また、このとき、第２伝送装置は、第１クライアント装置から第１伝送装置を介して送信された信号を第２クライアント装置へ転送しない。
【０１３４】
これにより、第１伝送装置および第２伝送装置は、ＡＮ処理においてそれぞれ第１クライアント装置および第２クライアント装置から送信された信号を交換し、互いのＡＮ処理の経過を特定することができる。
【０１３５】
また、たとえば、第１伝送装置は、第２伝送装置と第２クライアント装置との間のＡＮ処理において第２クライアント装置から送信され第２伝送装置から第１伝送装置へ転送された信号に基づいて、第１クライアント装置との間のＡＮ処理を完了する。この信号は、一例としては上述した／Ｃ／（アビリティ）や／Ｉ／（たとえば／Ｉ２／）である。これにより、第１伝送装置は、第２伝送装置と第２クライアント装置との間のＡＮ処理の経過を特定し、第２クライアント装置が通信可能であることを確認して第１クライアント装置との間のＡＮ処理を完了することができる。
【０１３６】
また、第２伝送装置は、第１伝送装置と第１クライアント装置との間のＡＮ処理において第１クライアント装置から送信され第１伝送装置から第２伝送装置へ転送された信号に基づいて、第２クライアント装置との間のＡＮ処理を完了する。この信号は、一例としては上述した／Ｃ／（アビリティ）や／Ｉ／である。これにより、第２伝送装置は、第１伝送装置と第１クライアント装置との間のＡＮ処理の経過を特定し、第１クライアント装置が通信可能であることを確認して第２クライアント装置との間のＡＮ処理を完了することができる。
【０１３７】
また、たとえば、第１クライアント装置は、第１伝送装置との間のＡＮ処理が完了すると、第２クライアント装置への信号を第１伝送装置へ送信する。また、第２クライアント装置は、第２伝送装置との間のＡＮ処理が完了すると、第１クライアント装置への信号を第１伝送装置へ送信する。
【０１３８】
また、第１伝送装置は、第１クライアント装置との間のＡＮ処理が完了した後、第２クライアント装置から送信され第２伝送装置から第１伝送装置へ転送された信号に含まれるアイドル信号の検出結果に基づいてトランスペアレントモードへ移行する。トランスペアレントモードは、第１クライアント装置と第２クライアント装置との間で送受信される信号をトランスペアレントに中継する状態へ移行する状態である。アイドルコードは、一例としては上述した／Ｄ／の合間に含まれる／Ｉ２／である。これにより、第２クライアント装置からのデータを受信中にトランスペアレントモードへ移行してデータを破壊することを回避することができる。
【０１３９】
また、第２伝送装置は、第２クライアント装置との間のＡＮ処理が完了した後、第１クライアント装置から送信され第１伝送装置から第２伝送装置へ転送された信号に含まれるアイドル信号の検出結果に基づいてトランスペアレントモードへ移行する。これにより、第２クライアント装置からのデータを受信中にトランスペアレントモードへ移行してデータを破壊することを回避することができる。
【０１４０】
以上説明したように、伝送装置、伝送システムおよび伝送方法によれば、伝送遅延が大きい伝送網を介して接続されたクライアント装置間のリンクアップを可能にすることができる。
【０１４１】
たとえば、従来のＧＦＰ−Ｔ方式は、ＯＴＮ伝送路上をＰＣＳレイヤ（８Ｂ１０Ｂ符号レベル）で透過するため、地理的に離れた２拠点のクライアント装置間でＡＮが可能である。ＡＮにおいては、一定時間（たとえば１０［ｍｓ］〜２０［ｍｓ］程度）内にハンドシェークが遷移しないとタイムアウトが発生してリスタートがかかる。
【０１４２】
また、イーサネットの伝送距離は一般的に４０［ｋｍ］以下であるが、ＯＴＮを経由するとクライアント装置間の伝送距離が合計で１０００［ｋｍ］以上に達する場合がある（たとえば図５参照）。したがって、クライアント装置間の伝送遅延時間がクライアント装置のＡＮのタイムアウト時間を上回る場合がある。この場合は、ＧＦＰ−Ｔ方式においてクライアント装置間でイーサネットのリンクを確立することができなくなる。
【０１４３】
また、伝送装置内でＡＮを実施して８Ｂ１０Ｂ符号を終端し、プリアンブル、ＳＦＤ、制御コードおよびアイドルを除いた実データのみをＧＦＰフレームにマッピングするＧＦＰ−Ｆ方式を用いることが考えられる。しかしながら、ＧＦＰ−Ｆ方式においては、クライアント装置独自のプリアンブルやＯＴＮ伝送装置でサポートしていない機能を持つ通信ができなくなるなど、透過性を完全に保証することができない。たとえば、ＧＦＰ−Ｆ方式においてはクライアント装置間で送受信されるコンフィギュレーションコードが非透過になりＡＮを行うことができない場合がある。
【０１４４】
これに対して、上述した実施の形態によれば、たとえばＯＴＮ伝送装置とクライアント装置との間でリンクダウン時のみＡＮ処理が行われ、リンクアップ後はＯＴＮ伝送装置間のパスはクライアント装置に対してトランスペアレント伝送となる。これにより、ＧＦＰ−Ｔ方式と同様にＯＴＮを介して接続されたクライアント装置間のリンクアップを可能にしつつ、ＯＴＮの伝送遅延が大きくてもタイムアウトを回避してリンクアップを完了することができる。
【０１４５】
また、上述した実施の形態においてはクライアント装置の再起動時のＡＮ（ＡＮリスタート）について説明したが、たとえばクライアント装置の初回起動時のＡＮについても同様にクライアント装置とＯＴＮ伝送装置との間で行うことができる。
【０１４６】
上述した各実施の形態に関し、さらに以下の付記を開示する。
【０１４７】
（付記１）第１クライアント装置と通信する伝送装置であって、
前記第１クライアント装置から認証処理に関する制御信号とデータを受信する受信部と、
前記制御信号に基づいて、前記第１クライアント装置と通信を確立する認証処理部と、
前記通信を確立した後に、前記第１クライアント装置から受信したデータを第２クライアント装置に中継する中継部と、
を備えることを特徴とする伝送装置。
【０１４８】
（付記２）前記認証処理部は、前記第２クライアント装置と通信する他の伝送装置と前記第２クライアント装置との通信を確立する処理の経過に応じて前記第１クライアント装置と通信を確立する処理を行うことを特徴とする付記１に記載の伝送装置。
【０１４９】
（付記３）前記認証処理部は、前記第１クライアント装置と通信を確立する処理を行う際に、前記第１クライアント装置から送信された制御信号をトランスペアレントに前記他の伝送装置へ転送し、前記第２クライアント装置から前記他の伝送装置を介して送信された制御信号を前記第１クライアント装置へ転送しないことを特徴とする付記２に記載の伝送装置。
【０１５０】
（付記４）前記認証処理部は、前記第１クライアント装置から受信したデータを第２クライアント装置に中継しているときに前記第１クライアント装置から前記第１クライアント装置と通信を確立する処理の開始を通知する制御信号を受信すると前記第１クライアント装置と通信を確立する処理を開始することを特徴とする付記１〜３のいずれか一つに記載の伝送装置。
【０１５１】
（付記５）前記認証処理部は、前記第２クライアント装置と通信する他の伝送装置と前記第２クライアント装置との通信を確立する処理において前記第２クライアント装置から送信され前記他の伝送装置から自装置へ転送された制御信号に基づいて前記第１クライアント装置と通信を確立する処理を完了することを特徴とする付記１〜４のいずれか一つに記載の伝送装置。
【０１５２】
（付記６）前記第１クライアント装置は、前記認証処理部による前記第１クライアント装置と通信を確立する処理が完了すると前記第２クライアント装置へのデータを自装置へ送信し、
前記中継部は、前記第１クライアント装置と通信を確立する処理が完了した後、前記第２クライアント装置から送信され他の伝送装置から自装置へ転送された制御信号に含まれるアイドル信号の検出結果に基づいて、前記第１クライアント装置から受信したデータを前記第２クライアント装置に中継する状態へ移行する、
ことを特徴とする付記５に記載の伝送装置。
【０１５３】
（付記７）前記第２クライアント装置と通信する他の伝送装置と光伝達網により接続され、前記第１クライアント装置から受信したデータを、前記光伝達網および前記他の伝送装置を介して前記第２クライアント装置に中継することを特徴とする付記１〜６のいずれか一つに記載の伝送装置。
【０１５４】
（付記８）前記中継部は、前記第１クライアント装置から受信したデータをＧＦＰ−Ｔにより前記第２クライアント装置に中継することを特徴とする付記１〜７のいずれか一つに記載の伝送装置。
【０１５５】
（付記９）第１クライアント装置と、
前記第１クライアント装置との間でデータの送受信を行う第２クライアント装置と、
前記第１クライアント装置と通信を行う第１伝送装置であって、前記第１クライアント装置から認証処理に関する制御信号とデータを受信し、前記第１クライアント装置から受信した前記制御信号に基づいて前記第１クライアント装置と通信を確立し、前記第１クライアント装置と通信を確立した後に、前記第１クライアント装置から受信したデータを前記第２クライアント装置に中継する第１伝送装置と、
前記第２クライアント装置と通信を行う第２伝送装置であって、前記第２クライアント装置から認証処理に関する制御信号とデータを受信し、前記第２クライアント装置から受信した前記制御信号に基づいて前記第２クライアント装置と通信を確立し、前記第２クライアント装置と通信を確立した後に、前記第２クライアント装置から受信したデータを前記第１クライアント装置に中継する第２伝送装置と、
を含むことを特徴とする伝送システム。
【０１５６】
（付記１０）第１クライアント装置と通信する伝送装置による伝送方法であって、
前記第１クライアント装置から認証処理に関する制御信号とデータを受信し、
前記制御信号に基づいて、前記第１クライアント装置と通信を確立し、
前記通信を確立した後に、前記第１クライアント装置から受信したデータを第２クライアント装置に中継する、
ことを特徴とする伝送方法。
【符号の説明】
【０１５７】
１００，１００Ａ，１００Ｂ，１１２１，１１２２，１１２３，１１２４，１１２５，１１２６，１１２７  ＯＴＮ伝送装置
１０１，１０１Ａ，１０１Ｂ，１１１１〜１１１４  クライアント装置
１１１，１１１Ａ，１１１Ｂ，１２６，１２６Ａ，１２６Ｂ  ＰＭＤ部
１１２，１１２Ａ，１１２Ｂ，１２５，１２５Ａ，１２５Ｂ  ＰＭＡ部
１１３，１１３Ａ，１１３Ｂ，１２４，１２４Ａ，１２４Ｂ  ８Ｂ１０Ｂ部
１１４，１１４Ａ，１１４Ｂ，１２２，１２２Ａ，１２２Ｂ  ＧＦＰ−Ｔ部
１１５，１１５Ａ，１１５Ｂ，１２１，１２１Ａ，１２１Ｂ  ＯＴＮ部
１２３，１２３Ａ，１２３Ｂ  モード切替制御部
１３０，１３０Ａ，１３０Ｂ  ＡＮ部
２０１〜２０３  信号
４００  伝送システム
４０１  ＯＴＮ伝送路
８０１  ＡＮモード
８０２  アイドル検出待ち状態
８０３  トランスペアレントモード
９０１  アビリティ値検出待ち状態
９０２  アビリティ値応答状態
９０３  ＡＮ完了状態
１１００  ネットワーク
１１３１  パス
１２００  伝送装置
１２０１  ＣＰＵ
１２０２  メモリ
１２０３  マネジメントインタフェース
１２０４  クライアント側通信インタフェース
１２０５  ＯＴＮ側通信インタフェース
１２０９  バス
【図１】
2018026756.tif 000003
【図２】
2018026756.tif 000004
【図３】
2018026756.tif 000005
【図４】
2018026756.tif 000006
【図５】
2018026756.tif 000007
【図６】
2018026756.tif 000008
【図７】
2018026756.tif 000009
【図８】
2018026756.tif 000010
【図９】
2018026756.tif 000011
【図１０】
2018026756.tif 000012
【図１１】
2018026756.tif 000013
【図１２】
2018026756.tif 000014